(57)【要約】【課題】写損発生率を低減させることができるＸ線撮影装置を提供することを目的とする。【解決手段】Ｘ線撮影装置は、再撮影回数をカウントするカウンタ７を備える。さらに、カウンタ７でカウントされた再撮影回数に基づく情報を出力する出力手段として表示部７およびスピーカ９を備える。このように、カウントされた再撮影回数に基づく情報を出力することで、第三者（管理者）の介在がなく、最新の撮影時に撮影失敗率が高い撮影部位を技師自身が常に知ることができる。よって、写損分析することなく撮影の失敗が減り、ひいては再撮影の減少につながり、患者（被検体Ｍ）の余計な被曝が減る。また、再撮影による検査時間が延長されることなく、患者（被検体Ｍ）の待ち時間増加への負担が減る。このようにして、写損分析することなく写損発生率を低減させることができる。【選択図】図１
2016036669.tif 000002
【特許請求の範囲】
【請求項１】
Ｘ線撮影を行うＸ線撮影装置であって、
再撮影回数，または総撮影回数に対する再撮影回数の割合である再撮影率をカウントするカウント手段と、
前記カウント手段でカウントされた前記再撮影回数または前記再撮影率に基づく情報を出力する出力手段と
を備えることを特徴とするＸ線撮影装置。
【請求項２】
請求項１に記載のＸ線撮影装置において、
前記出力手段は表示手段であることを特徴とするＸ線撮影装置。
【請求項３】
請求項２に記載のＸ線撮影装置において、
前記表示手段は、前記再撮影回数または前記再撮影率を表示するように構成されていることを特徴とするＸ線撮影装置。
【請求項４】
請求項２または請求項３に記載のＸ線撮影装置において、
前記表示手段は、前記再撮影回数または前記再撮影率に対応した色またはマークを表示するように構成されていることを特徴とするＸ線撮影装置。
【請求項５】
請求項１から請求項４のいずれかに記載のＸ線撮影装置において、
前記出力手段は音声手段であり、
前記音声手段は、前記再撮影回数または前記再撮影率に対応した音声を出力することを特徴とするＸ線撮影装置。
【発明の詳細な説明】
【技術分野】
【０００１】
この発明は、Ｘ線撮影を行うＸ線撮影装置に係り、特に、再撮影を行う技術に関する。
【背景技術】
【０００２】
従来、この種の装置として、Ｘ線撮影デジタル装置がある。Ｘ線撮影デジタル装置を使った検査では、医師からのオーダがあった撮影部位にしたがって患者（被検体）のポジショニング（位置合わせ）やＸ線撮影条件（例えば管電圧や管電流や照射時間など）の設定を行い、Ｘ線の照射によるＸ線撮影やＸ線撮影により得られたＸ線画像の確認を行う。なお、必要ならば画像処理による修正（例えばオフセット補正や階調変換やグリッド除去など）を行う。
【０００３】
Ｘ線撮影により得られたＸ線画像が診断に足る画像だと技師が判断したらＸ線画像を画像サーバもしくはプリンタへ送信する。このＸ線画像の確認において画像処理等の修正を行っても診断に足る画像を作成することができないことがあり、この場合には再撮影を行う。
【０００４】
例えば、頚部開口位撮影などでは口を開けて顎や歯などが頸椎に重ならない（すなわちＸ線ビームの照射方向に顎や歯などが頸椎に被らない）ようなポジショニングを行うが、実際にはＸ線ビームと頸椎との間に顎や歯が重なったりした場合には顎や歯によって頸椎を観察することができない。そこで、ポジショニングを再度行って再撮影を行う。
【０００５】
また、他の例では、患者の体厚によってＸ線撮影条件を変更する（例えば体厚が薄ければ照射するＸ線の線量を減らして、体厚が厚ければ線量を増やす）が、このＸ線撮影条件が適切でないために診断部位がうまく抽出されないこともある。他にも患者が小児の場合において患者が動いたりすることで再撮影を行うことがある。
【０００６】
これらの撮影ミス（ポジショニングによる失敗、不適切なＸ線撮影条件による失敗）により患者に余計な被曝を与える。また、再撮影により検査時間が延びて、次以降に診断すべき患者の撮影が遅れるので、患者に精神的な負担を与えることになる。かかる撮影ミスをいかになくすかが病院の課題であり、ミスの発生率を低減させるために病院は技師の教育を行っている。
【０００７】
技師の教育を行う材料として、過去の撮影失敗（以下、「写損」と呼ぶ）の多いプロトコル（手順），発生原因，発生率などの統計解析処理（「Retake Analysis」と呼ばれる）を行い、管理者がそれを分析して技師に指導を行うことにより写損発生率を低減させる。また、写損で得られたＸ線画像（診断画像）を整理するために、写損の場合には診断画像ファイルを消去する（例えば、特許文献１参照）。
【０００８】
特許文献１：特開２００２−１０９０５６号公報では写損の場合には診断画像ファイルを消去していたのに対して、上述した統計解析処理を行うために、写損理由を設定（入力）して撮影情報と対応づけて記憶する（例えば、特許文献２参照）。また、写損理由を画像とともに保管（記憶）し、写損理由の発生頻度に基づいて統計を行う（例えば、特許文献３参照）。特に、特許文献２：特開２００５−２０４７９２号公報や特許文献３：特開２０１３−１６６０４２号公報では、写損理由を装置上で解析する、あるいは外部に転送して、マイクロソフト社のExcel（登録商標）などに代表される表計算ソフトなどのツールで解析して、写損発生率を低減させる。
【先行技術文献】
【特許文献】
【０００９】
【特許文献１】特開２００２−１０９０５６号公報
【特許文献２】特開２００５−２０４７９２号公報
【特許文献３】特開２０１３−１６６０４２号公報
【発明の概要】
【発明が解決しようとする課題】
【００１０】
しかしながら、このような構成を有する従来例の場合には、次のような問題がある。
すなわち、管理者が写損分析するのは管理者の負荷が大きく多大な時間を要する。また、管理者が分析する間に新たな部位で写損が増えた時には、管理者の分析が完了するまで担当者（例えば技師）は注意すべき部位を知ることができず、再撮影を繰り返すことになり患者に精神的あるいは肉体的な負担を与えることになる。さらには、写損分析が不可能な環境（分析を行う管理者を置けない事情がある病院）などでは写損発生率を抑えることができず、患者に負担を与え続け、患者の負担が増大、ひいては病院の信頼を損なうことになる。
【００１１】
この発明は、このような事情に鑑みてなされたものであって、写損発生率を低減させることができるＸ線撮影装置を提供することを目的とする。
【課題を解決するための手段】
【００１２】
この発明は、このような目的を達成するために、次のような構成をとる。
すなわち、この発明に係るＸ線撮影装置は、Ｘ線撮影を行うＸ線撮影装置であって、再撮影回数，または総撮影回数に対する再撮影回数の割合である再撮影率をカウントするカウント手段と、前記カウント手段でカウントされた前記再撮影回数または前記再撮影率に基づく情報を出力する出力手段とを備えることを特徴とするものである。
【００１３】
［作用・効果］この発明に係るＸ線撮影装置によれば、再撮影回数，または総撮影回数に対する再撮影回数の割合である再撮影率をカウントするカウント手段を備える。さらに、カウント手段でカウントされた再撮影回数または再撮影率に基づく情報を出力する出力手段を備える。このように、カウントされた再撮影回数または再撮影率に基づく情報を出力することで、第三者（管理者）の介在がなく、最新の撮影時に撮影失敗率が高い撮影部位を技師自身が常に知ることができる。よって、写損分析することなく撮影の失敗が減り、ひいては再撮影の減少につながり、患者（被検体）の余計な被曝が減る。また、再撮影による検査時間が延長されることなく、患者（被検体）の待ち時間増加への負担が減る。このようにして、写損分析することなく写損発生率を低減させることができる。
【００１４】
出力手段の一例は表示手段であり、出力手段の他の一例は音声手段であり、音声手段は、再撮影回数または再撮影率に対応した音声を出力する。なお、表示手段および音声手段の両方を備えてもよい。
【００１５】
表示手段の一例は、再撮影回数または再撮影率を表示するように構成される。表示手段の他の一例は、再撮影回数または再撮影率に対応した色またはマークを表示するように構成される。表示手段の一例と他の一例とを組み合わせて、再撮影回数または再撮影率を表示するとともに、再撮影回数または再撮影率に対応した色またはマークを表示してもよい。
【発明の効果】
【００１６】
この発明に係るＸ線撮影装置によれば、再撮影回数，または総撮影回数に対する再撮影回数の割合である再撮影率をカウントするカウント手段と、カウント手段でカウントされた再撮影回数または再撮影率に基づく情報を出力する出力手段とを備える。かかるカウント手段および出力手段を備えることで、写損分析することなく写損発生率を低減させることができる。
【図面の簡単な説明】
【００１７】
【図１】実施例に係るＸ線撮影装置のブロック図である。
【図２】（ａ）はＸ線撮影装置での再撮影回数の表示態様、（ｂ）はＸ線撮影装置での再撮影回数に対応した色の表示態様、（ｃ）はＸ線撮影装置での再撮影回数に対応したマークの表示態様である。
【図３】再撮影回数に基づく情報とともに再撮影理由リストを併せて表示した表示態様である。
【実施例】
【００１８】
以下、図面を参照してこの発明の実施例を説明する。
図１は、実施例に係るＸ線撮影装置のブロック図であり、図２（ａ）は、Ｘ線撮影装置での再撮影回数の表示態様であり、図２（ｂ）は、Ｘ線撮影装置での再撮影回数に対応した色の表示態様であり、図２（ｃ）は、Ｘ線撮影装置での再撮影回数に対応したマークの表示態様であり、図３は、再撮影回数に基づく情報とともに再撮影理由リストを併せて表示した表示態様である。
【００１９】
本実施例に係るＸ線撮影装置は、図１に示すように、患者である被検体Ｍを載置した天板１と、被検体Ｍに向けてＸ線を照射するＸ線管２と、Ｘ線管２から照射されて被検体Ｍを透過したＸ線を検出するフラットパネル型Ｘ線検出器（以下、「ＦＰＤ」と略記する）３と、ＦＰＤ３によって検出されたＸ線に基づいて画像処理を行う画像処理部４と、画像処理部４によって各種の画像処理で得られたＸ線画像を表示するとともに、後述する再撮影回数に基づく情報を表示する表示部５と、技師などのオペレータがデータや命令（コマンド）を入力する入力部６とを備えている。表示部５は、この発明における表示手段に相当し、この発明における出力手段にも相当する。
【００２０】
この他に、Ｘ線撮影装置は、再撮影回数をカウントするカウンタ７と、ＦＰＤ３で得られた（画像処理前の）Ｘ線画像や画像処理部４による画像処理後のＸ線画像を記憶するとともに、カウンタ７によってカウントされた再撮影回数を記憶するメモリ部８と、再撮影回数に対応した音声を出力するスピーカ９とを備えている。カウンタ７は、この発明におけるカウント手段に相当し、スピーカ９は、この発明における音声手段に相当し、この発明における出力手段にも相当する。したがって、上述した表示部５およびスピーカ９で、この発明における出力手段を構成する。
【００２１】
ＦＰＤ３は、その検出面にはＸ線に有感な複数の検出素子を２次元マトリックス状に配列して構成されている。検出素子は、被検体Ｍを透過したＸ線を電気信号に変換して一旦蓄積して、その蓄積された電気信号を読み出すことで、Ｘ線を検出する。各々の検出素子でそれぞれ検出された電気信号を、電気信号に応じた画素値に変換して、検出素子の位置にそれぞれ対応した画素にその画素値を割り当てることでＸ線画像を出力する。出力されたＸ線画像を、画像処理部４あるいはメモリ部８に送り込む。このように、ＦＰＤ３は、Ｘ線を検出する複数の検出素子が行列状（２次元マトリックス状）に構成されており、Ｘ線撮影デジタル装置に用いられる。なお、Ｘ線検出器はＦＰＤに限定されず、イメージインテンシファイア（Ｉ．Ｉ）などのＸ線撮影アナログ装置に用いられるＸ線検出器であってもよい。
【００２２】
画像処理部４は、中央演算処理装置（ＣＰＵ）などで構成されている。「背景技術」の欄でも述べたように、画像処理は、例えばオフセット補正や階調変換やグリッド除去などである。画像処理部４での画像処理を行わなくともＦＰＤ３で得られたＸ線画像が診断に足る画像だと技師が判断したらＸ線画像をメモリ部８に直接に送り込む。逆に画像処理が必要であると技師が判断したらＸ線画像を画像処理部４に送り込んで画像処理部４での画像処理を行った後にメモリ部８に送り込む。
【００２３】
表示部５はモニタやテレビジョンなどで構成されている。再撮影回数に基づく情報を、図２（ａ）〜図２（ｃ）のように表示部５に表示するが、具体的な表示態様については後述する。入力部６は、マウスやキーボードやジョイスティックやトラックボールやタッチパネルなどに代表されるポインティングデバイスで構成されている。カウンタ７は、プログラマブル・カウンタなどの電子回路で構成されている。本実施例では、再撮影回数をカウントする際に、カウントのための命令を技師が入力部６に入力してカウンタ７に送り込むことで、入力部６での入力をトリガとしてカウンタ７は再撮影回数をカウントする。
【００２４】
メモリ部８は、ＲＯＭ（Read-only Memory）やＲＡＭ（Random-Access Memory）などに代表される記憶媒体で構成されている。本実施例では、ＦＰＤ３で得られた（画像処理前の）Ｘ線画像や画像処理部４による画像処理後のＸ線画像を書き込んで記憶し、適宜必要に応じてメモリ部８からＸ線画像を読み出して表示部５、あるいはプリンタ（図示省略）や画像サーバ（図示省略）に送り込む。また、カウンタ７でカウントされた再撮影回数を書き込んで記憶し、適宜必要に応じてメモリ部８から読み出して、再撮影回数に基づく情報を出力して表示部５に送り込み、再撮影回数に基づく情報として再撮影回数に対応した音声を出力してスピーカ９に送り込む。
【００２５】
図２（ａ）〜図２（ｃ）に示すように、再撮影回数に基づく情報を表示部５に表示する。
例えば、図２（ａ）に示すように再撮影回数自体（過去に再撮影が実施された件数）を表示部５に表示する。より具体的には、検査実施時に表示されるプロトコルリスト（図２（ａ）では「胸部正面撮影」）上に同一プロトコルで過去に再撮影が実施された件数を、カウンタ７によってカウントして、図２（ａ）に示すようにプロトコルリスト上に表示する。
【００２６】
図２（ａ）に示すように件数（再撮影回数）を表示する以外にも、図２（ｂ）に示すように再撮影回数に基づく情報として再撮影回数に対応した色を表示部５に表示してもよい。例えば、再撮影回数が１件〜１０件の場合には「注意」を示す黄色（図２（ｂ）の左の符号５Ａを参照）で表示し、再撮影回数が１０件を超える場合には「警告」を示す赤色（図２（ｂ）の右の符号５Ｂを参照）でプロトコルを強調表示してもよい。この場合には、再撮影回数と色とをそれぞれ対応づけてテーブル化してメモリ部８（図１を参照）に予め記憶し、再撮影回数に基づく情報を表示する際にテーブルを参照して、そのときの再撮影回数に対応した色を表示部５に表示すればよい。
【００２７】
その他に、図２（ｃ）に示すように再撮影回数に基づく情報として再撮影回数に対応したマーク（例えばアイコン）を表示部５に表示してもよい。例えば、再撮影回数が１件〜１０件の場合には「注意」を示すアイコン５ａを、図２（ｃ）の左に示すように表示し、再撮影回数が１０件を超える場合には「警告」を示すアイコン５ｂを、図２（ｃ）の右に示すように強調表示してもよい。この場合には、再撮影回数とマークとをそれぞれ対応づけてテーブル化してメモリ部８（図１を参照）に予め記憶し、再撮影回数に基づく情報を表示する際にテーブルを参照して、そのときの再撮影回数に対応したマークを表示部５に表示すればよい。
【００２８】
また、再撮影回数に基づく情報を、図２（ａ）〜図２（ｃ）のように表示部５に表示する以外にも、再撮影回数に基づく情報として再撮影回数に対応した音声をスピーカ９（図１を参照）が出力するように構成してもよい。例えば、注意や警告を示すビープ音や注意を喚起する音声をスピーカ９から出力して流してもよい。この場合には、再撮影回数とビープ音あるいは（注意を喚起する）音声のコマンドとをそれぞれ対応づけてテーブル化してメモリ部８（図１を参照）に予め記憶し、再撮影回数に基づく情報を出力する際にテーブルを参照して、そのときの再撮影回数に対応した音声をスピーカ９が出力するように構成すればよい。
【００２９】
また、図２（ａ）〜図２（ｃ）を互いに組み合わせてもよいし、図２（ａ）〜図２（ｃ）の表示態様およびスピーカ９を互いに組み合わせてもよい。例えば、図２（ａ）の再撮影回数を表示し、図２（ｂ）の再撮影回数に対応した色を表示してもよいし、図２（ａ）の再撮影回数を表示し、図２（ｃ）の再撮影回数に対応したマークを表示してもよいし、図２（ｂ）の再撮影回数に対応した色を表示し、図２（ｃ）の再撮影回数に対応したマークを表示してもよい。また、図２（ａ）〜図２（ｃ）を全て組み合わせて、図２（ａ）の再撮影回数を表示し、図２（ｂ）の再撮影回数に対応した色を表示し、図２（ｃ）の再撮影回数に対応したマークを表示してもよい。
【００３０】
また、図３に示すように、再撮影回数に基づく情報（ここでは再撮影回数に対応した色）とともに再撮影理由リストを併せて表示してもよい。例えば、表示部５（図１や図２を参照）を、入力部６（図１を参照）を搭載したタッチパネルで構成し、再撮影理由リストを表示するためにタッチパネル上に写損理由ボタン５ｃを設ける。そして、写損理由ボタン５ｃを押下することで、再撮影理由リスト５ｄを表示する。再撮影理由リスト５ｄには、例えば写損理由の多い順に再撮影理由および数（再撮影回数）をセットにした一覧を表示する。ここでは、タッチパネルを例に採って説明したが、表示部５がタッチパネルでない場合には、表示部５から切り離して入力部６として写損理由ボタンを設けてもよい。
【００３１】
本実施例に係るＸ線撮影装置によれば、再撮影回数をカウントするカウンタ７を備える。さらに、カウンタ７でカウントされた再撮影回数に基づく情報を出力する出力手段として表示部７およびスピーカ９を備える。このように、カウントされた再撮影回数に基づく情報を出力することで、第三者（管理者）の介在がなく、最新の撮影時に撮影失敗率が高い撮影部位を技師自身が常に知ることができる。よって、写損分析することなく撮影の失敗が減り、ひいては再撮影の減少につながり、患者（被検体Ｍ）の余計な被曝が減る。また、再撮影による検査時間が延長されることなく、患者（被検体Ｍ）の待ち時間増加への負担が減る。このようにして、写損分析することなく写損発生率を低減させることができる。
【００３２】
本実施例では、出力手段として表示部７に代表される表示手段およびスピーカ９に代表される音声手段の両方を備えている。もちろん、表示部７に代表される表示手段のみを備えてもよいし、スピーカ９に代表される音声手段のみを備えてもよい。上述した表示部７やスピーカ９以外でも、カウントされた再撮影回数に基づく情報を出力する出力手段であれば、印刷出力するプリンタに例示されるように、特に限定されない。
【００３３】
図２（ａ）に示すように再撮影回数を表示してもよいし、図２（ｂ）に示すように再撮影回数に対応した色を表示してもよいし、図２（ｃ）に示すように再撮影回数に対応したマークを表示してもよい。また、上述したように、再撮影回数を表示するとともに、再撮影回数に対応した色またはマークを表示してもよい。
【００３４】
この発明は、上記実施形態に限られることはなく、下記のように変形実施することができる。
【００３５】
（１）上述した実施例では、入力部６での入力をトリガとしてカウント手段（実施例ではカウンタ７）は再撮影回数をカウントしたが、例えば写損理由の殆どがＸ線撮影条件の設定ミスに起因するものである場合には、Ｘ線画像の画素値に基づいて再撮影回数を自動的にカウントしてもよい。Ｘ線撮影条件の設定ミスに起因して得られたＸ線画像の場合には、Ｘ線画像の画素値が所定の閾値の範囲に収まっていないので、画素値が所定の閾値から外れた時に再撮影回数を自動的にカウントする。
【００３６】
（２）上述した実施例では、再撮影回数をカウントしたが、総撮影回数に対する再撮影回数の割合である再撮影率をカウントしてもよい。頚部開口位撮影のような頻度の少ない撮影と、胸部撮影のような頻度の多い撮影との間では、同じ再撮影回数でも重みが変わってくる。そこで、上述した再撮影率をカウントして、カウントされた再撮影率に基づく情報を出力する。撮影の度に撮影回数をカウントする総撮影用のカウンタと、再撮影の時のみ撮影回数をカウントする再撮影用のカウンタとを備え、総撮影用のカウンタでカウントされた総撮影回数および再撮影用のカウンタでカウントされた再撮影回数に基づいて、除算器によって再撮影率を求めればよい。実施例での再撮影回数が再撮影率に変わったのを除けば、出力態様（図２や図３の表示態様、あるいはスピーカの出力態様）と同じであるので、詳しい説明を省略する。この場合には、総撮影用のカウンタ，再撮影用のカウンタおよび除算器が、この発明におけるカウント手段に相当する。また、再撮影回数および再撮影率を互いに組み合わせて、再撮影回数に基づく情報を出力するとともに、再撮影率に基づく情報を出力してもよい。
【符号の説明】
【００３７】
５  …  表示部
７  …  カウンタ
９  …  スピーカ
【図１】
2016036669.tif 000003
【図２】
2016036669.tif 000004
【図３】
2016036669.tif 000005